(57)【要約】【課題】ブルーレーザ用の波長のレーザ光がＣＤ、ＤＶＤ用の偏光ホログラムに入射することによる当該偏光ホログラムの劣化を防ぐ光ピックアップ装置および光ディスク装置を提供することを目的とする。【解決手段】長波長のレーザ光を集光してＤＶＤ／ＣＤに照射する第１の対物レンズ１０と、第１の対物レンズ１０と隣り合う位置に配置され短波長のレーザ光を集光してブルーレーザ対応ディスクに照射する第２の対物レンズ１３と、長波長のレーザ光を第１の対物レンズ１０に向けると共に短波長のレーザ光を透過させる立ち上げミラー９と、第１の対物レンズ１０と立ち上げミラー９との間に設けられＤＶＤ／ＣＤからの反射光の光路を変えてセンサ検出用に分割する偏光ホログラム１１ｃと、立ち上げミラー９と偏光ホログラム１１ｃとの間に設けられ長波長のレーザ光を透過させると同時に短波長のレーザ光を遮断するフィルタ膜１１ｇとを備えた光ピックアップ装置。【選択図】図４
2007293940.tif 000002
【特許請求の範囲】
【請求項１】
所定の波長のレーザ光を集光して第１の光ディスクに照射する第１の対物レンズと、前記第１の対物レンズと隣り合う位置に配置されブルーレーザ対応ディスク用の波長のレーザ光を集光して第２の光ディスクに照射する第２の対物レンズと、前記所定の波長のレーザ光を前記第１の対物レンズに向けると共に前記ブルーレーザ対応ディスク用の波長のレーザ光を透過させる光学部材と、前記第１の対物レンズと前記光学部材との間に設けられ前記第１の光ディスクからの反射光の光路を変えてセンサ検出用に分割する偏光ホログラムと、前記光学部材と前記偏光ホログラムとの間に設けられ前記所定の波長のレーザ光を透過させると同時に前記ブルーレーザ対応ディスク用の波長のレーザ光を遮断するフィルタと、を具備した光ピックアップ装置。
【請求項２】
所定の波長のレーザ光を集光して第１の光ディスクに照射する第１の対物レンズと、前記第１の対物レンズと隣り合う位置に配置され４００ｎｍ以上４１５ｎｍ以下の波長のレーザ光を集光して第２の光ディスクに照射する第２の対物レンズと、前記所定の波長のレーザ光を前記第１の対物レンズに向けると共に前記４００ｎｍ以上４１５ｎｍ以下の波長のレーザ光を透過させる光学部材と、前記第１の対物レンズと前記光学部材との間に設けられ前記第１の光ディスクからの反射光の光路を変えてセンサ検出用に分割する偏光ホログラムと、前記光学部材と前記偏光ホログラムとの間に設けられ前記所定の波長のレーザ光を透過させると同時に前記４００ｎｍ以上４１５ｎｍ以下の波長のレーザ光を遮断するフィルタと、を具備した光ピックアップ装置。
【請求項３】
所定の波長のレーザ光を集光して第１の光ディスクに照射する第１の対物レンズと、前記第１の対物レンズと隣り合う位置に配置されブルーレーザ対応ディスク用の波長のレーザ光を集光して第２の光ディスクに照射する第２の対物レンズと、前記所定の波長のレーザ光を前記第１の対物レンズに向けると共に前記ブルーレーザ対応ディスク用の波長のレーザ光を透過させる光学部材と、前記第１の対物レンズと前記光学部材との間に設けられ前記第１の光ディスクからの反射光の光路を変えてセンサ検出用に分割する偏光ホログラムと、前記偏光ホログラムの前記光学部材側に設けられ前記所定の波長のレーザ光を透過させると同時に前記ブルーレーザ対応ディスク用の波長のレーザ光を遮断するフィルタと、を具備した光ピックアップ装置。
【請求項４】
所定の波長のレーザ光を集光して第１の光ディスクに照射する第１の対物レンズと、前記第１の対物レンズと隣り合う位置に配置され４００ｎｍ以上４１５ｎｍ以下の波長のレーザ光を集光して第２の光ディスクに照射する第２の対物レンズと、前記所定の波長のレーザ光を前記第１の対物レンズに向けると共に前記４００ｎｍ以上４１５ｎｍ以下の波長のレーザ光を透過させる光学部材と、前記第１の対物レンズと前記光学部材との間に設けられ前記第１の光ディスクからの反射光の光路を変えてセンサ検出用に分割する偏光ホログラムと、前記偏光ホログラムの前記光学部材側に設けられ前記所定の波長のレーザ光を透過させると同時に前記４００ｎｍ以上４１５ｎｍ以下の波長のレーザ光を遮断するフィルタと、を具備した光ピックアップ装置。
【請求項５】
前記所定の波長は、６４０ｎｍ以上８１０ｎｍ以下であることを特徴とする請求項１から請求項４のいずれか１項に記載の光ピックアップ装置。
【請求項６】
前記所定の波長のレーザ光は、ＤＶＤ用またはＣＤ用のレーザ光であることを特徴とする請求項１から請求項４のいずれか１項に記載の光ピックアップ装置。
【請求項７】
前記フィルタは、前記所定の波長のレーザ光を９５％以上透過させると同時に前記４００ｎｍ以上４１５ｎｍ以下の波長のレーザ光を９５％以上遮断することを特徴とする請求項１から請求項４のいずれか１項に記載の光ピックアップ装置。
【請求項８】
前記フィルタは、多層膜であり、少なくともＴａ2Ｏ5層とＳｉＯ2層で構成される、又は少なくともＮｂ2Ｏ2層とＳｉＯ2層で構成される、又は少なくともＴｉＯ2層とＳｉＯ2層で構成されることのいずれかであることを特徴とする請求項１から請求項４のいずれか１項に記載の光ピックアップ装置。
【請求項９】
前記フィルタは少なくともＴａ2Ｏ5層とＳｉＯ2層を交互に多層積層することにより構成され、層数は１０〜１６であることを特徴とする請求項８に記載の光ピックアップ装置。
【請求項１０】
前記フィルタは少なくともＮｂ2Ｏ2層とＳｉＯ2層を交互に多層積層することにより構成され、層数は１０〜１６であることを特徴とする請求項８に記載の光ピックアップ装置。
【請求項１１】
前記フィルタは少なくともＴｉＯ2層とＳｉＯ2層を交互に多層積層することにより構成され、層数は１０〜１６であることを特徴とする請求項８に記載の光ピックアップ装置。
【請求項１２】
請求項１から請求項１１のいずれか１項に記載の光ビックアップ装置を具備した光ディスク装置。
【請求項１３】
長波長の光を放出する第１の光源と、前記第１の光源よりも短波長の光を放出する第２の光源と、前記第１の光源及び前記第２の光源からの光をほぼ同じ光路に導く光学部材と、前記光学部材からの光を再び短波長の光と長波長の光に分離する光学部材を備え、再分離後の長波長光の光路中に短波長光を遮蔽するフィルタを設けたことを特徴とする光ピックアップ装置。
【発明の詳細な説明】
【技術分野】
【０００１】
本発明は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光ディスクと、ブルーレーザ用光ディスクの双方の記録再生に使用される光ピックアップ装置および光ディスク装置に関する。
【背景技術】
【０００２】
光ディスクに対する記録再生を行う光ピックアップにおいて、従来は赤外レーザや赤色レーザ等の長波長レーザを出射するレーザダイオードが用いられていたが、近年では、ブルーレーザを用いて高密度記録を行う光ディスク装置が実用化されてきている。
【０００３】
しかし、ブルーレーザ用の光ディスクと既存のＣＤ，ＤＶＤとが併存している段階では、同じ光ディスク装置で、波長の異なる複数の種類の光ディスクを記録再生可能であることが要請されている。
【０００４】
長波長レーザとブルーレーザとでは、光ディスクの記録面に集光するスポットの径が異なるのと、波長により対物レンズ等の光学部材の屈折率が異なるため、同一の光学系をそのまま共用することはできない。そこで、波長に応じた別々の光学系を設置すれば、複数の種類の光ディスクに対する記録再生には何ら問題はない。
【０００５】
しかしながら、薄型化、小型化が求められているノートブック型パソコン等の電子機器に組み込まれる光ディスク装置の場合、従来の長波長レーザ用の光ディスク装置と同程度のスペースの中に、ブルーレーザ対応ディスクの記録再生機構を追加して納めなければならないという厳しい要求がある。したがって、ブルーレーザ対応ディスクの記録再生のための光学系を従来の機構とは別個に狭いスペース内に設けることは困難である。
【０００６】
そこで、光学系の一部を共用して、省スペースを図ることが提案されている。
【０００７】
例えば、（特許文献１）には、複数の異なる波長の光をそれぞれ出射する複数の光源を有し、複数の光源から出射された光のそれぞれは、少なくとも一部、ほぼ同じ光路を通過するように構成し、異なる光ディスクへの集光手段は、波長に応じてそれぞれ独立して設置した光ピックアップ装置が開示されている。
【０００８】
図８は、（特許文献１）に記載された光ピックアップ装置の光学系の基本的構成を示す概略図である。図において、１０１はＣＤ／ＤＶＤの記録・再生のための２波長（赤外〜赤色）のレーザ光を出射する第１の光源（レーザダイオード）、１０２は往路光は通過し、復路光は反射面で反射する光学部材、１０３はブルーレーザ対応ディスクの記録・再生のための短波長（４００ｎｍ〜４１５ｎｍ）のレーザ光を出射する第２の光源（ブルーレーザダイオード）、１０４は往路光は通過し、復路光は反射面で反射する光学部材、１０５は長波長レーザ光は通過し、短波長レーザ光は反射する反射面を有する光学部品であるビームスプリッタ、１０６は長波長レーザ光は反射し、短波長レーザ光は透過する光学部材（立ち上げミラー）、１０７はＤＶＤ（略６６０ｎｍの波長の光）及びＣＤ（略７８０ｎｍの波長の光）の光ディスクに対応可能なように必要な開口数を実現するための開口フィルタと、略６６０ｎｍの波長の光に対して反応する偏光ホログラムと、１／４波長板を具備した光学部材、１０８は対物レンズ、１０９は光ディスク、１１０は短波長レーザ光を反射させる光学部材（立ち上げミラー）、１１１は色収差を補正する機能を有する色消し回折レンズ、１１２は対物レンズ、１１３は光学部材１０２により反射された長波長の復路光を受光する光検出器、１１４は光学部材１０４により反射された短波長の復路光を受光する光検出器である。
【０００９】
基本的には、この構成により、長波長のレーザに対応したＣＤやＤＶＤと、短波長（ブルーレーザ）に対応した光ディスクへの記録、再生が可能になる。
【００１０】
なお、ＣＤとＤＶＤ用の２波長のレーザユニットを用いた光ピックアップは、例えば（特許文献２）に開示されている。
【特許文献１】特開２００５−８５２９３号公報
【特許文献２】特開２００１−３０７３６７号公報
【発明の開示】
【発明が解決しようとする課題】
【００１１】
ところで、第２の光源１０３から出射されたブルーレーザは、光学部材１０４を透過し、ビームスプリッタ１０５の反射面で反射されて光学部材１０６を透過することになる。このとき、ブルーレーザが光学部材１０６を全て透過すれば理想的であるが、現実には、数％のブルーレーザが光学部材１０６の反射面で反射され、光学部材１０７に入射する。光学部材１０７は、上述したように開口フィルタと、偏光ホログラムと、１／４波長板等の光学部材を積層したもので、合成樹脂が用いられている。
【００１２】
ブルーレーザは赤外レーザや赤色レーザに比較して波長が短く、エネルギーが大きいので、わずかな光でも当たり続けたり累積時間が長くなると、光学部材１０７を構成する合成樹脂が長時間の間に徐々に劣化し、長波長レーザ光の透過率が低下する。特に、偏光ホログラムは、往路の光はほとんどを透過させ、復路の光はビームスプリッタ１０５、光学部材１０２を介して光検出器１１３に届くように、偏光状態を変えるという機能を有しており、有機薄膜偏光材料で形成されている。この有機薄膜偏光材料にブルーレーザが当たり続けたり累積時間が長くなることにより、材料が次第に劣化し、偏光ホログラムの性能の一つである回折効率が低下していくという結果を招く。
【００１３】
そこで本発明は、ＣＤ、ＤＶＤ用の波長の光源とブルーレーザ用の波長の光源を有し、光学系の一部を共用化した光ピックアップ装置において、ブルーレーザ用の波長のレーザ光がＣＤ、ＤＶＤ用の偏光ホログラムに入射することによる当該偏光ホログラムの劣化を防ぎ、光ピックアップ装置の性能維持および長寿命化を図ることを目的とする。
【課題を解決するための手段】
【００１４】
本発明は、ＣＤ、ＤＶＤ用の波長のレーザ光を偏光により回折する偏光ホログラムの前方に、長波長所定の波長のレーザ光を透過させると同時にブルーレーザ対応ディスク用の波長のレーザ光を遮断するフィルタを設けたことを主要な特徴とする。
【発明の効果】
【００１５】
本発明の光ピックアップ装置は、ＣＤ、ＤＶＤ用の波長のレーザ光を偏光により回折する偏光ホログラムの前方に、長波長所定の波長のレーザ光を透過させると同時にブルーレーザ対応ディスク用の波長のレーザ光を遮断するフィルタを設けたことにより、ブルーレーザ用の波長のレーザ光がＣＤ、ＤＶＤ用の偏光ホログラムに入射することによる当該偏光ホログラムの劣化を防ぎ、光ピックアップ装置の性能維持および長寿命化を図ることができる。
【発明を実施するための最良の形態】
【００１６】
本発明は、ＣＤ、ＤＶＤ用の波長の光源とブルーレーザ用の波長の光源を有し、光学系の一部を共用化した光ピックアップ装置において、ブルーレーザ用の波長のレーザ光がＣＤ、ＤＶＤ用の偏光ホログラムに入射することによる当該偏光ホログラムの劣化を防ぎ、光ピックアップ装置の性能維持および長寿命化を図るという目的を、ＣＤ、ＤＶＤ用の波長のレーザ光を偏光により回折する偏光ホログラムの前方に、長波長所定の波長のレーザ光を透過させると同時にブルーレーザ対応ディスク用の波長のレーザ光を遮断するフィルタを設けたことにより実現した。
【００１７】
上記課題を解決するためになされた請求項１の発明は、所定の波長のレーザ光を集光して第１の光ディスクに照射する第１の対物レンズと、第１の対物レンズと隣り合う位置に配置されブルーレーザ対応ディスク用の波長のレーザ光を集光して第２の光ディスクに照射する第２の対物レンズと、所定の波長のレーザ光を第１の対物レンズに向けると共にブルーレーザ対応ディスク用の波長のレーザ光を透過させる光学部材と、第１の対物レンズと光学部材との間に設けられ第１の光ディスクからの反射光の光路を変えてセンサ検出用に分割する偏光ホログラムと、光学部材と偏光ホログラムとの間に設けられ所定の波長のレーザ光を透過させると同時にブルーレーザ対応ディスク用の波長のレーザ光を遮断するフィルタと、を具備した光ピックアップ装置である。
【００１８】
この請求項１の発明により、ブルーレーザ用の波長のレーザ光がＣＤ、ＤＶＤ用の所定の波長用偏光ホログラムに入射することによる当該偏光ホログラムの劣化を防ぎ、光ピックアップ装置の性能維持および長寿命化を図ることができる。
【００１９】
上記課題を解決するためになされた請求項２の発明は、所定の波長のレーザ光を集光して第１の光ディスクに照射する第１の対物レンズと、第１の対物レンズと隣り合う位置に配置され４００ｎｍ以上４１５ｎｍ以下の波長のレーザ光を集光して第２の光ディスクに照射する第２の対物レンズと、所定の波長のレーザ光を第１の対物レンズに向けると共に４００ｎｍ以上４１５ｎｍ以下の波長のレーザ光を透過させる光学部材と、第１の対物レンズと光学部材との間に設けられ第１の光ディスクからの反射光の光路を変えてセンサ検出用に分割する偏光ホログラムと、光学部材と偏光ホログラムとの間に設けられ所定の波長のレーザ光を透過させると同時に４００ｎｍ以上４１５ｎｍ以下の波長のレーザ光を遮断するフィルタと、を具備した光ピックアップ装置である。
【００２０】
この請求項２の発明により、４００ｎｍ以上４１５ｎｍ以下の波長のレーザ光がＣＤ、ＤＶＤ用の所定の波長用偏光ホログラムに入射することによる当該偏光ホログラムの劣化を防ぎ、光ピックアップ装置の性能維持および長寿命化を図ることができる。
【００２１】
上記課題を解決するためになされた請求項３の発明は、所定の波長のレーザ光を集光して第１の光ディスクに照射する第１の対物レンズと、第１の対物レンズと隣り合う位置に配置されブルーレーザ対応ディスク用の波長のレーザ光を集光して第２の光ディスクに照射する第２の対物レンズと、所定の波長のレーザ光を第１の対物レンズに向けると共にブルーレーザ対応ディスク用の波長のレーザ光を透過させる光学部材と、第１の対物レンズと光学部材との間に設けられ第１の光ディスクからの反射光の光路を変えてセンサ検出用に分割する偏光ホログラムと、偏光ホログラムの光学部材側に設けられ所定の波長のレーザ光を透過させると同時にブルーレーザ対応ディスク用の波長のレーザ光を遮断するフィルタと、を具備した光ピックアップ装置である。
【００２２】
この請求項３の発明により、偏光ホログラムの光学部材側にフィルタを一体形成し、ブルーレーザ用の波長のレーザ光がＣＤ、ＤＶＤ用の所定の波長用偏光ホログラムに入射することによる当該偏光ホログラムの劣化を防ぎ、光ピックアップ装置の性能維持および長寿命化を図ることができる。
【００２３】
上記課題を解決するためになされた請求項４の発明は、所定の波長のレーザ光を集光して第１の光ディスクに照射する第１の対物レンズと、第１の対物レンズと隣り合う位置に配置され４００ｎｍ以上４１５ｎｍ以下の波長のレーザ光を集光して第２の光ディスクに照射する第２の対物レンズと、所定の波長のレーザ光を第１の対物レンズに向けると共に４００ｎｍ以上４１５ｎｍ以下の波長のレーザ光を透過させる光学部材と、第１の対物レンズと光学部材との間に設けられ第１の光ディスクからの反射光の光路を変えてセンサ検出用に分割する偏光ホログラムと、偏光ホログラムの光学部材側に設けられ所定の波長のレーザ光を透過させると同時に４００ｎｍ以上４１５ｎｍ以下の波長のレーザ光を遮断するフィルタと、を具備した光ピックアップ装置である。
【００２４】
この請求項４の発明により、偏光ホログラムの光学部材側にフィルタを一体形成し、４００ｎｍ以上４１５ｎｍ以下の波長のレーザ光がＣＤ、ＤＶＤ用の所定の波長用偏光ホログラムに入射することによる当該偏光ホログラムの劣化を防ぎ、光ピックアップ装置の性能維持および長寿命化を図ることができる。
【００２５】
上記課題を解決するためになされた請求項５の発明は、所定の波長は、６４０ｎｍ以上８１０ｎｍ以下であることを特徴とする請求項１から請求項４の発明に規定された光ピックアップ装置である。
【００２６】
この請求項５の発明により、ＤＶＤの記録再生用のレーザの波長が略６６０ｎｍであり、ＣＤの記録再生用のレーザの波長が略７８０ｎｍであるので、これらの波長をカバーすれば、ＤＶＤとＣＤの記録再生に使用することができる。
【００２７】
上記課題を解決するためになされた請求項６の発明は、所定の波長のレーザ光は、ＤＶＤ用またはＣＤ用のレーザ光であることを特徴とする請求項１から請求項４の発明に規定された光ピックアップ装置である。
【００２８】
この請求項６の発明により、ＤＶＤとＣＤの記録再生が可能となる。
【００２９】
上記課題を解決するためになされた請求項７の発明は、フィルタは、所定の波長のレーザ光を９５％以上透過させると同時に４００ｎｍ以上４１５ｎｍ以下の波長のレーザ光を９５％以上遮断することを特徴とする請求項１から請求項４の発明に規定された光ピックアップ装置である。
【００３０】
この請求項７の発明により、ＣＤやＤＶＤの記録再生用のレーザ光はほとんどがフィルタを通過でき、ブルーレーザ対応ディスクの記録再生用のレーザ光はほとんどが遮断されるため、ＣＤ、ＤＶＤ用の偏光ホログラムの機能にほとんど影響を与えることなく、当該偏光ホログラムの劣化を抑制することができる。
【００３１】
上記課題を解決するためになされた請求項８の発明は、フィルタは、多層膜であり、少なくともＴａ2Ｏ5層とＳｉＯ2層で構成される、又は少なくともＮｂ2Ｏ2層とＳｉＯ2層で構成される、又は少なくともＴｉＯ2層とＳｉＯ2層で構成されることのいずれかであることを特徴とする光ピックアップ装置である。
【００３２】
この請求項８の発明により、屈折率の異なる少なくとも二種類の誘電体の薄膜を積層し、ブルーレーザ用の波長を遮断するフィルタを製作することができる。
【００３３】
上記課題を解決するためになされた請求項９の発明は、フィルタは少なくともＴａ2Ｏ5層とＳｉＯ2層を交互に多層積層することにより構成され、層数は１０〜１６であることを特徴とする。かかる誘電体の層数を所定以上にすることにより、ブルーレーザ用の波長の光に対するフィルタの透過率を、５％〜１％まで低下することができる。
【００３４】
上記課題を解決するためになされた請求項１０の発明は、フィルタは少なくともＮｂ2Ｏ2層とＳｉＯ2層を交互に多層積層することにより構成され、層数は１０〜１６であることを特徴とする。かかる誘電体の層数を所定以上にすることにより、ブルーレーザ用の波長の光に対するフィルタの透過率を、５％〜１％まで低下することができる。
【００３５】
上記課題を解決するためになされた請求項１１の発明は、フィルタは少なくともＴｉＯ2層とＳｉＯ2層を交互に多層積層することにより構成され、層数は１０〜１６であることを特徴とする。かかる誘電体の層数を所定以上にすることにより、ブルーレーザ用の波長の光に対するフィルタの透過率を、５％〜１％まで低下することができる。
【００３６】
上記課題を解決するためになされた請求項１２の発明は、上記の光ビックアップ装置を具備した光ディスク装置であり、これにより、光ディスク装置の性能維持および長寿命化を図ることができる。
【００３７】
上記課題を解決するためになされた請求項１３の発明は、長波長の光を放出する第１の光源と、第１の光源よりも短波長の光を放出する第２の光源と、第１の光源及び第２の光源からの光をほぼ同じ光路に導く光学部材と、光学部材からの光を再び短波長の光と長波長の光に分離する光学部材を備え、再分離後の長波長光の光路中に短波長光を遮蔽するフィルタを設けたことを特徴とする光ピックアップ装置である。
【００３８】
この請求項１３の発明により、短波長のレーザ光が長波長用偏向ホログラムに入射することによる当該偏向ホログラムの劣化を防ぎ、光ピックアップ装置の性能維持および長寿命化を図ることができる。
【００３９】
（実施の形態）
以下、本発明の実施の形態について図面を参照しながら説明する。
【００４０】
図１は本発明の実施の形態における光ディスク装置の外観斜視図であり、光ディスクを載置するトレイを筐体から引き出した状態を示したものである。
【００４１】
図１において、３１は光ディスク装置、３２は筐体、３２ａは上部筐体部、３２ｂは下部筐体部、３３はトレイ、３４は光ピックアップモジュール、３５はレール、３６はレール案内部、２５はスピンドルモータ、２５ａは光ディスク装着部、３８はカバー、３８ａは開口、３９はキャリッジ、４０はベゼル、４１はイジェクトボタン、５０は光ピックアップである。
【００４２】
光ディスク装置３１は、筐体３２と、筐体３２に移動自在に保持されたトレイ３３を有している。筐体３２は、金属製の上部筐体部３２ａ、下部筐体部３２ｂを組み合わせて袋状であり、筐体３２の開口からトレイ３３を引き出す又は筐体３２の開口に収納する構成となっている。トレイ３３には、裏面から光ピックアップモジュール３４が取り付けられている。
【００４３】
トレイ３３は側面部にレール案内部３６が設けられており、このレール案内部３６の外面に沿ってレール３５が移動する。このようにすることで、トレイ３３を筐体３２から引き出すもしくはトレイ３３を筐体３２に収納することができる。
【００４４】
光ピックアップモジュール３４は、光ディスクを回転駆動させるスピンドルモータ２５と、スピンドルモータ２５から外周にかけて開口３８ａを設けたカバー３８と、開口３８ａから一部が露出したキャリッジ３９を少なくとも有している。キャリッジ３９は、光ピックアップモジュール３４に設けられた複数の案内シャフトに移動自在に保持されており、しかも図示していないフィードモータによって、スピンドルモータ２５に近づいたり、離れたりするように移動できる。
【００４５】
ベゼル４０はトレイ３３の前面に設けられ、筐体３２の開口を塞ぐ程度の大きさで構成されている。キャリッジ３９には、高出力のレーザダイオード等の光源，各種光学部材及び光ディスク上に光スポットを構成する対物レンズなどが搭載されている。筐体３２の奥部には固定して設けられた回路基板があり、回路基板には信号処理系のＩＣや電源回路などが搭載されている。トレイ３３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置３１内に電力を供給したり、あるいは外部からの信号を光ディスク装置３１内に導いたり、あるいは光ディスク装置３１で生成された電気信号を電子機器などに送出する。トレイ３３の前端面に設けられたベゼル４０にはイジェクトボタン４１が設けられており、このイジェクトボタン４１を押すことで、筐体３２に設けられた係合部とトレイ３３に設けられた係合部との係合を解除し、トレイ３３は筐体３２から光ディスクが着脱できるよう引き出すことができる。
【００４６】
トレイ３３が筐体３２に収納された状態からトレイ３３を引き出すためには、まずイジェクトボタン４１を押して筐体３２に設けられた係合部とトレイ３３に設けられた係合部との係合を解除し、その後トレイ３３を引き出す。トレイ３３を一定距離引き出すとレール案内部３６に設けられた突起とレール３５に設けられた突起が接触し、またレール３５に設けられた突起と筐体３２に設けられた突起が接触することでトレイ３３が引き出された状態でトレイ３３の移動が停止する。
【００４７】
図２は、本発明の実施の形態における光ピックアップ装置の構成を示す概略図、図３は本発明の実施の形態における光ピックアップ装置の構成を示す平面図である。なお、図２における二重波線のＡ側、つまり、短波長光学ユニット１，長波長光学ユニット３からコリメータレンズ８までは、光ピックアップ装置を図３におけるＺ方向（紙面上方）から見た模式図であり、また、図２における二重波線のＢ側、つまり、立ち上げミラー９から光ディスク２までは、光ピックアップ装置を図３におけるＲ方向から見た模式図となっている。
【００４８】
図２において、１は短波長レーザを出射する短波長光学ユニットで、短波長光学ユニット１から出射される光は、４００ｎｍ〜４１５ｎｍの波長であり、本実施の形態では略４０５ｎｍの光を出射するように構成した。なお、一般に上述のレーザ波長の光は青色〜紫色をしている。本実施の形態においては、短波長光学ユニット１の詳細は後述するが、短波長のレーザを出射する光源部１ａと、光ディスク２から反射してきた光を受光する信号検出用の受光部１ｂと、光源部１ａから出射された光の光量をモニターするように設けられた受光部１ｃと、光学部材１ｄと、それら構成部材を所定の位置関係に保持する保持部材（図示せず）とを含んでいる。光源部１ａには、ＧａＮもしくはＧａＮを主成分とする半導体レーザ素子（図示せず）が設けられており、この半導体レーザ素子から出射された光は光学部材１ｄに入射され、入射された光の一部は光学部材１ｄにて反射され受光部１ｃに入る。図示していないが、この受光部１ｃで光を電気信号に変換し、その電気信号を元に光源部１ａから出射される光の強さを所望の強度に調整する回路などが設けられている。また、光源部１ａから出射された光のほとんどは光学部材１ｄを通して光ディスク２の方へ導かれる。また光ディスク２で反射してきた光は光学部材１ｄを介して受光部１ｂに入射される。受光部１ｂは、光を電気信号に変換し、その電気信号よりＲＦ信号，トラッキングエラー信号，フォーカスエラー信号などを生成する。光学部材１ｄ中にはフォーカスエラー信号を得ることが出来るように光ディスク２からの反射光を分離する偏光ホログラム１ｅが設けられている。
【００４９】
なお、本実施の形態においては、光ピックアップ装置を小型化するために、光源部１ａ，受光部１ｂ，１ｃ及び光学部材１ｄを含んだひとつの短波長光学ユニットとして構成したが、受光部１ｂ，１ｃの少なくとも一方を短波長光学ユニット１から外に出して別体として構成したり、あるいは光学部材１ｄを短波長光学ユニット１から外に出して別体として構成してもよい。
【００５０】
３は長波長のレーザを出射する長波長光学ユニットで、長波長光学ユニット３から出射される光は、６４０ｎｍ〜８００ｎｍの波長であり、一種の波長の光を単数出射したり、あるいは複数種の波長の光を複数出射する構成となっている。本実施の形態では、略６６０ｎｍの波長の光束（赤：例えばＤＶＤ対応）と略７８０ｎｍの光束（赤外：例えばＣＤ対応）を出射する構成とした。本実施の形態においては、長波長光学ユニット３の詳細は後述するが、長波長のレーザを出射する光源部３ａと、光ディスク２から反射してきた光を受光する信号検出用の受光部３ｂと、光源部３ａから出射された光の光量をモニターするように設けられた受光部３ｃと、光学部材３ｄと、それら構成部材を所定の位置関係に保持する保持部材（図示せず）とを含んでいる。光源部３ａには、半導体レーザ素子（図示せず）が設けられており、この半導体レーザ素子はモノブロックで構成され（モノリシック構造）、このモノブロックの素子から略６６０ｎｍの波長の光束（赤）と略７８０ｎｍの光束（赤外）を出射する。なお、本実施の形態では、モノブロックの素子で２つの光束を出射する構成としたが、一つのブロック素子で一つの光束を出射する素子を２つ内蔵した構成としてもよい。この半導体レーザ素子から出射された複数の光束は光学部材３ｄに入射され、入射された光の一部は光学部材３ｄにて反射され受光部３ｃに入る。図示していないが、この受光部３ｃで光を電気信号に変換し、その電気信号を元に光源部３ａから出射される光の強さを所望の強度に調整する回路などが設けられている。また、光源部３ａから出射された光のほとんどは光学部材３ｄを通して光ディスク２の方へ導かれる。また光ディスク２で反射してきた光は光学部材３ｄを介して受光部３ｂに入射される。受光部３ｂは、光を電気信号に変換し、その電気信号よりＲＦ信号，トラッキングエラー信号，フォーカスエラー信号などを生成する。なお、光学部材３ｄには、ＣＤ用のフォーカスエラー信号を生成するために光ディスク２からの反射光を複数本に分離して、それぞれ受光部３ｂの所定の場所に導く偏光ホログラム３ｅが設けられている。
【００５１】
なお、本実施の形態においては、光ピックアップ装置を小型化するために、光源部３ａ，受光部３ｂ，３ｃ及び光学部材３ｄを含んだひとつの長波長光学ユニット３として構成したが、受光部３ｂ，３ｃの少なくとも一方を長波長光学ユニット３から外に出して別体として構成したり、あるいは光学部材３ｄを長波長光学ユニット３から外に出して別体として構成してもよい。
【００５２】
４は短波長光学ユニット１から出射された光と、光ディスク２からの反射光が通過するビーム整形レンズである。ビーム整形レンズ４は、短波長レーザの通過による劣化が少ないガラスで構成されることが好ましい。本実施の形態においては、ビーム整形レンズ４をガラスで構成したが、短波長レーザの通過による劣化が少ない材料であれば、他の材料によってビーム整形レンズ４を構成することも同様に実施可能である。ビーム整形レンズ４は、短波長のレーザの非点収差をおよび短波長光学ユニット１から光ディスク２に至る光路中で発生する非点収差を打ち消す目的で設けられている。このビーム整形レンズ４の目的上、光ディスク２から反射してきた光はこのビーム整形レンズ４を介さずに短波長光学ユニット１に入射させてもよいが、光学的な配置上光ディスク２からの反射光を本実施の形態では、ビーム整形レンズ４を介して短波長光学ユニット１に入射させている。なお、本実施の形態では短波長の光の非点収差を低減させるようにビーム整形レンズ４を用いたが、ビーム整形プリズムやビーム整形ホログラムを変わりに用いてもよい。
【００５３】
また、ビーム整形レンズ４の両端にはそれぞれ凸部４ａ及び凹部４ｂが設けられており、短波長光学ユニット１から出射された光はまず凸部４ａに入射して凹部４ｂから出射するようにビーム整形レンズ４は配置される。
【００５４】
５は光学部材で、光学部材５は光路上ビーム整形レンズ４の先に配置され、ビーム整形レンズ４の凹部４ｂ側に配置される。すなわち、短波長光学ユニット１から出射された光はビーム整形レンズ４を介して光学部材５に入射され、光ディスク２へと導かれ、光ディスク２から反射してきた光は、光学部材５，ビーム整形レンズ４を順に経由して短波長光学ユニット１に入射される。光学部材５には偏光ホログラムなどが設けられており、少なくとも以下の機能を有する。すなわち、光ディスク２から反射してきた光を主にトラッキングエラー信号を生成するように所定の光束に分離させる機能である。前述の通り、光学部材１ｄ中に設けられた偏光ホログラム１ｅにてフォーカスエラー信号を作成するために複数本の光束に分離し、光学部材５にてトラッキングエラー信号を生成するために複数本の光束に分離する。
【００５５】
更に詳細には、光学部材５には、短波長の光の略中央部分の光量を減衰させるＲＩＭ強度補正フィルタの役目をする機能を持たせてもよい。更には、光学部材５を２つに分離して、一方の光学部材５に光ディスク２から反射してきた光を主にトラッキングエラー信号を生成するように所定の光束に分離させる機能を持たせ、他方の光学部材５にＲＩＭ強度補正フィルタの機能を持たせることも出来る。
【００５６】
６は長波長光学ユニット３から出射された長波長の光が通過するリレーレンズで、リレーレンズ６は樹脂やガラスなどの透明部材にて構成される。リレーレンズ６は長波長光学ユニット３から出射された光を効率よく後方の部材に導くように設けられる。また、リレーレンズ６を設けることによって、長波長光学ユニット３をよりビームスプリッタ７側に配置できるようになるので、装置の小型化を実現できる。
【００５７】
７は光学部材であるビームスプリッタであり、ビームスプリッタ７中には少なくとも２つの透明部材７ｂ、７ｃが接合して設けられており、透明部材７ｂ，７ｃの間には一つの傾斜面７ａが設けられており、その傾斜面７ａには波長選択膜が設けられている。短波長光学ユニット１から出射された光が入り込む透明部材７ｃの傾斜面７ａには波長選択膜が直接形成されており、この波長選択膜が形成された透明部材７ｃの傾斜面７ａに樹脂やガラス等の接合材を介して透明部材７ｂが接合されている構成となっている。
【００５８】
また、ビームスプリッタ７は短波長光学ユニット１から出射された短波長の光を反射し、長波長光学ユニット３から出射された光を透過させる機能を有する。すなわち短波長光学ユニット１から出射された光と長波長光学ユニット３から出射された光をほぼ同一方向に導く構成としている。
【００５９】
８は移動自在に保持されたコリメータレンズで、コリメータレンズ８はスライダ８ｂに取り付けられ、スライダ８ｂは略平行に設けられた一対の支持部材８ａに移動可能に取り付けられている。ヘリカル状の溝が設けられたリードスクリュー８ｃが支持部材８ａに対して略平行となるように設けられており、このリードスクリュー８ｃの溝に入り込む突起がスライダ８ｂの端部に設けられている。リードスクリュー８ｃにはギア群８ｄが結合されており、ギア群８ｄには駆動部材８ｅが設けられている。駆動部材８ｅの駆動力はギア群８ｄを介してリードスクリュー８ｃに伝えられ、しかもその駆動力によってリードスクリュー８ｃは回転し、その結果スライダ８ｂは支持部材８ａに沿って移動する。すなわち、駆動部材８ｅの駆動方向の違いや駆動速度の違いによってコリメータレンズ８はビームスプリッタ７に対して近づく方向に移動させたりあるいは離れる方向に移動させたりすることができ、しかもその移動の速さなどを調整できる。
【００６０】
なお、駆動部材８ｅとしては、各種モーターなどが好適に用いられるが、特に駆動部材８ｅとしては、ステッピングモータを用いることが好ましい。すなわち、ステッピングモータに送るパルスの数を調整することによって、リードスクリュー８ｃの回転量が決定し、その結果コリメータレンズ８の移動量を容易に設定可能となる。
【００６１】
このように、コリメータレンズ８をビームスプリッタ７に近づけたり離したりする構成を採用することで、球面収差の調整を容易に行うことができる。すなわち、コリメータレンズ８の位置によって、短波長の光の球面収差を調整することができるので、短波長対応の光ディスク２に設けられた第１の記録層と、その第１の記録層と異なる深さに設けられた２の記録層に対してそれぞれに記録または再生の少なくとも一方を効果的に行わせるように構成できる。
【００６２】
コリメータレンズ８には、ビームスプリッタ７から入射される長波長及び短波長の光が透過するので、ガラスもしくは好ましくは耐短波長光樹脂（短波長によって劣化しないあるいは劣化しにくい樹脂）で構成される。このコリメータレンズ８は光ディスク２で反射してきた短波長あるいは長波長の光も透過する。
【００６３】
また、本実施の形態では、短波長の光の球面収差の補正を行う構成として、駆動部材８ｅにてコリメータレンズ８を移動させる構成としたが、その他の構成によって、コリメータレンズ８を移動させてもよいし、他の手段を用いて、短波長の光の球面収差を調整する構成としてもよい。
【００６４】
９は立ち上げミラーであり、立ち上げミラー９には短波長の光に対して作用する１／４波長部材９ａが設けられている。この１／４波長部材９ａとしては、二度（往路と復路で）通過した光の偏光方向を略９０度回転させる１／４波長板が好適に用いられる。本実施の形態では１／４波長部材９ａは立ち上げミラー９の中に挟みこんだ構成とした。立ち上げミラー９において各ユニット１，３から出射された光が入射する面には波長選択膜９ｂが設けられており、長波長光学ユニット３から出射された長波長の光をほとんど反射し、短波長光学ユニット１から出射された短波長の光をほとんど透過させる機能を有する。
【００６５】
１０は長波長レーザ用の対物レンズで、対物レンズ１０は立ち上げミラー９から反射してきた光を光ディスク２に集光させる。本実施の形態では対物レンズ１０を用いたが、偏光ホログラム等その他の集光部材で構成してもよい。また、当然のごとく、光ディスク２から反射してきた光はこの対物レンズ１０を通過する。対物レンズ１０はガラスや樹脂などの材料で構成される。
【００６６】
１１は対物レンズ１０と立ち上げミラー９の間に設けられた光学部材で、光学部材１１はＤＶＤ（略６６０ｎｍの波長の光）及びＣＤ（略７８０ｎｍの波長の光）の光ディスク２に対応可能なように必要な開口数を実現するための開口フィルタと、略６６０ｎｍの波長の光に対して反応する偏光ホログラムと、１／４波長部材（好適には１／４波長板）を具備している。光学部材１１は、誘電体多層膜や回折格子開口手段などで構成される。偏光ホログラムは略６６０ｎｍの光に対して偏光を加える（略６６０ｎｍの波長の光をトラッキングエラー信号やフォーカスエラー信号用の光に分離する）。また、１／４波長部材は、略６６０ｎｍ及び略７８０ｎｍの波長の光の往路に対する復路の偏光方向を略９０度回転させる。
【００６７】
１２は短波長の光をほとんど反射する立ち上げミラーで、立ち上げミラー１２には反射膜が設けられている。
【００６８】
１３は対物レンズで、対物レンズ１３は立ち上げミラー１２から反射してきた光を光ディスク２に集光させる。本実施の形態では対物レンズ１３を用いたが、偏光ホログラム等その他の集光部材で構成してもよい。また、当然のごとく、光ディスク２から反射してきた光はこの対物レンズ１３を通過する。対物レンズ１３はガラスで構成されたり、あるいは樹脂で構成されるが、対物レンズ１３を樹脂で構成する場合には好ましくは、耐短波長光樹脂（短波長によって劣化しないあるいは劣化しにくい樹脂）で構成される。
【００６９】
１４は対物レンズ１３と立ち上げミラー１２の間に設けられた色消し回折レンズで、色消し回折レンズ１４は色収差を補正するという機能を有する。色消し回折レンズ１４は短波長の光が通過する各光学部品などで生じる色収差を打ち消して低減させるように設けられている。色消し回折レンズ１４は基本的にはレンズの上に所望の偏光ホログラムを形成して構成され、色収差の補正度合いは、偏光ホログラムの格子ピッチ，レンズの曲率半径の少なくとも一つを調整することで決定可能である。色消し回折レンズ１４はプラスチックなどの樹脂やガラスで構成されている。樹脂などを用いる場合には、耐短波長光樹脂（短波長によって劣化しないあるいは劣化しにくい樹脂）で構成されることが好ましい。
【００７０】
以上のように構成された光学系の具体的な配置について、以下、図３を基に説明する。
【００７１】
図３は実際に、図２で示した光学構成について、具現化した例を示しており、図２に示す各部材とは多少形状などが異なるが、機能などはほぼ同じである。
【００７２】
１５は基台で、基台１５は上述の各部材が固定あるいは移動可能に取り付けられている。基台１５は、亜鉛，亜鉛合金，アルミ，アルミ合金，チタン，チタン合金などの金属あるいは金属合金材料で構成され、量産的な面から好ましくはダイカスト製法などを用いて構成されている。
【００７３】
基台１５は、略平行に配置されたシャフト２１，２２に移動可能に取り付けられており、図示しないスクリューシャフトが回転することによって、往復駆動される。また、光ディスク２を回転させるスピンドルモータ２５が設けられている。
【００７４】
また、基台１５には、短波長光学ユニット１，長波長光学ユニット３，ビーム整形レンズ４，光学部材５，リレーレンズ６，ビームスプリッタ７，支持部材８ａ，リードスクリュー８ｃ，ギア群８ｄ，駆動部材８ｅ，立ち上げミラー９，１２等が光硬化型接着剤やエポキシ系接着剤等の有機系の接着剤を用いて接着されたり、半田や鉛フリー半田等の金属系の接着剤を用いて接着されたり、もしくはネジ止め，嵌合，圧入等の手法を用いて取り付けられている。
【００７５】
なお、リードスクリュー８ｃおよびギア群８ｄについては、回転自在に基台１５に取り付けられている。
【００７６】
１７はサスペンションホルダで、このサスペンションホルダ１７は図示しないヨーク部材を介して各種接合手法によって基台１５に取り付けられており、レンズホルダ１６とサスペンションホルダ１７は複数本のサスペンション１８を介して結合されており、レンズホルダ１６は基台１５に対して所定の範囲移動可能なように支持される。レンズホルダ１６には対物レンズ１０，１３および光学部材１１，色消し回折レンズ１４等が取り付けられており、レンズホルダ１６の移動によって、レンズホルダ１６とともに、対物レンズ１０，１３および光学部材１１，色消し回折レンズ１４も移動する。
【００７７】
立ち上げミラー９は、短波長光学ユニット１から出射されビームスプリッタ７やコリメータレンズ８を通過してきた光束に対して傾斜して設けられているので、短波長光学ユニット１から到来する光束は、立ち上げミラー９を通過すると屈折され、対物レンズ１０，１３から遠ざかる向きに所定の距離だけ移動する。
【００７８】
対物レンズ１０と、対物レンズ１０よりもレンズの軸上厚が厚く構成されている対物レンズ１３は、短波長光学ユニット１や長波長光学ユニット３から出射されビームスプリッタ７やコリメータレンズ８を通過した光が進んでくる方向に沿って、対物レンズ１０，対物レンズ１３の順で配置されている。
【００７９】
対物レンズ１０，１３をこのような配置とすることにより、レンズホルダ１６が上下に駆動されても、光束が対物レンズ１３や色消し回折レンズ１４により遮られることがなくなるので、光ピックアップ装置を薄型化することが可能となる。
【００８０】
図４は、本発明の実施の形態に係る光学部材を含む光ディスク近傍の光学系の要部拡大図である。光学部材１１は、第１のガラス基板１１ａの下面に反射防止膜１１ｂが、上面に偏光ホログラム１１ｃが形成されたものと、第２のガラス基板１１ｄの下面に１／４波長板１１ｅが、上面に反射防止膜１１ｆが形成されたものが積層して構成されている。さらに、本実施の形態では、反射防止膜１１ｂの表面に、フィルタ膜１１ｇを形成している。このフィルタ膜１１ｇは、ＣＤ／ＤＶＤ用の波長のレーザ光を透過させると同時にブルーレーザ対応ディスク用の波長のレーザ光を遮断する機能を有している。
【００８１】
図５（ａ）は従来の反射防止膜のみの光学部材の構成を示す概略図、図５（ｂ）は本発明の実施の形態によるフィルタ膜を形成した光学部材の構成を示す概略図である。また、図６（ａ）は従来の反射防止膜のみの光学部材の場合の反射率と透過率の対波長特性を示す特性図、図６（ｂ）は本発明の実施の形態によるフィルタ膜を形成した光学部材の反射率と透過率の対波長特性を示す特性図である。
【００８２】
図５（ａ）および（表１）に示すように、従来の光学部材１１は、ガラス基板１１ａの下面（立ち上げミラー９側）に、反射防止膜１１ｂを、例えばＴａ2Ｏ5とＳｉＯ2の薄膜１〜４を交互に積層して形成したものであり、図６（ａ）に示すように、ＣＤ／ＤＶＤ用の波長である６４０ｎｍ〜８１０ｎｍを透過（Ｔのカーブ）させ、その他の波長の光は反射させる特性（Ｒのカーブ）を持たせている。しかし、特に４００ｎｍ〜４１５ｎｍのブルーレーザ用の波長のレーザ光を遮断するようには設計されていないため、上記のように、立ち上げミラー９により反射されたブルーレーザ用の波長のレーザ光の一部が入射しても反射防止膜１１ｂによる遮断が不十分である。
【００８３】
【表１】
2007293940.tif 000003
【００８４】
そこで、図５（ｂ）に示すように、反射防止膜１１ｂの表面にさらにフィルタ膜１１ｇを積層して、ブルーレーザ用の波長のレーザ光を遮断する。本実施の形態では、薄膜５〜１６をフィルタ膜１１ｇとして積層したものとしている。薄膜１〜１６の材質および屈折率と膜厚の例を（表２）に示す。このような１６層の多層構成とすることにより、図６（ｂ）に示すように、４００ｎｍ〜４１５ｎｍの帯域の透過率を１％以下に低減することができた。
【００８５】
【表２】
2007293940.tif 000004
【００８６】
図７は、反射防止膜を含むフィルタ膜の青紫光透過率と、偏光ホログラム回折効率の減少率との関係を示すグラフである。これは、青紫光（４００ｎｍ〜４１５ｎｍの帯域）を、ディスク盤面に光量１２ｍＷで照射し、１０００時間記録後のＤＶＤ偏光ホログラム１１ｃのＤＶＤ復路光の回折効率の低下率を示している。低下率を１０％以下に抑えるためには、反射防止膜とフィルタ膜の青紫光透過率を５％以下にすることが必要であることが分かった。
【００８７】
従来の薄膜１〜４では青紫光の透過率が約８０％であったが、薄膜１〜１０を形成することにより、透過率が５％となり必要条件が満たされた。薄膜１〜１６では、透過率が１％となり、十分な値となった。
【００８８】
なお、反射防止膜１１ｂとフィルタ膜１１ｇは二種類の材質を交互に積層して形成されるものであり、その膜厚と層数は、所定の計算式と実測値を組み合わせるなどして得られるものであり、（表１）、（表２）の値は一例に過ぎない。
【００８９】
また、本実施の形態では、反射防止膜１１ｂ、フィルタ膜１１ｇを形成する薄膜の材質として、屈折率の異なる２つの誘電体の組み合わせであるＴａ2Ｏ5とＳｉＯ2を用いた例を示したが、屈折率の異なる材料の組み合わせであれば、Ｎｂ2Ｏ2とＳｉＯ2、又はＴｉＯ2とＳｉＯ2を用いることもできる。
【００９０】
また、本実施の形態では、フィルタ膜１１ｇを光学部材１１の反射防止膜１１ｂに積層した例を示したが、光学部材１１と立ち上げミラー９との間に、独立した光学部品としてのフィルタを設けることによっても本発明を実施することができる。
【産業上の利用可能性】
【００９１】
本発明は、ブルーレーザ用の波長のレーザ光がＣＤ、ＤＶＤ用の偏光ホログラムに入射することによる当該偏光ホログラムの劣化を防ぎ、光ピックアップ装置の性能維持および長寿命化を図ることができるため、ＣＤ、ＤＶＤと、ブルーレーザ用光ディスクの双方の記録再生に使用される光ピックアップ装置および光ディスク装置に利用することができる。特に、薄型化、小型化が要請されているノートブック型パソコンの光ディスク装置として好適に利用することができる。
【図面の簡単な説明】
【００９２】
【図１】本発明の実施の形態における光ディスク装置の外観斜視図
【図２】本発明の実施の形態における光ピックアップ装置の構成を示す概略図
【図３】本発明の実施の形態における光ピックアップ装置の構成を示す平面図
【図４】本発明の実施の形態に係る光学部材を含む光ディスク近傍の光学系の要部拡大図
【図５】（ａ）従来の反射防止膜のみの光学部材の構成を示す概略図、（ｂ）本発明の実施の形態によるフィルタ膜を形成した光学部材の構成を示す概略図
【図６】（ａ）従来の反射防止膜のみの光学部材の場合の反射率と透過率の対波長特性を示す特性図、（ｂ）本発明の実施の形態によるフィルタ膜を形成した光学部材の反射率と透過率の対波長特性を示す特性図
【図７】反射防止膜を含むフィルタ膜の青紫光透過率と、偏光ホログラム回折効率の減少率との関係を示すグラフ
【図８】（特許文献１）に記載された光ピックアップ装置の光学系の基本的構成を示す概略図
【符号の説明】
【００９３】
１    短波長光学ユニット
１ａ    光源部
１ｂ    受光部
１ｃ    受光部
１ｄ    光学部材
１ｅ    偏光ホログラム
２    光ディスク
３    長波長光学ユニット
３ａ    光源部
３ｂ    受光部
３ｃ    受光部
３ｄ    光学部材
３ｅ    偏光ホログラム
４    ビーム整形レンズ
４ａ    凸部
４ｂ    凹部
５    光学部材
６    リレーレンズ
７    ビームスプリッタ
７ａ    傾斜面
７ｂ，７ｃ    透明部材
８    コリメータレンズ
８ａ    支持部材
８ｂ    スライダ
８ｃ    リードスクリュー
８ｄ    ギア群
８ｅ    駆動部材
９    立ち上げミラー
９ａ    １／４波長部材
９ｂ    波長選択膜
１０    対物レンズ
１１    光学部材
１１ａ    第１のガラス基板
１１ｂ    反射防止膜
１１ｃ    偏光ホログラム
１１ｄ    第２のガラス基板
１１ｅ    １／４波長板
１１ｆ    反射防止膜
１１ｇ    フィルタ膜
１２    立ち上げミラー
１３    対物レンズ
１４    色消し回折レンズ
１５    基台
１６    レンズホルダ
１７    サスペンションホルダ
１８    サスペンション
２１，２２    シャフト
２５    スピンドルモータ
２５ａ    光ディスク装着部
３１    光ディスク装置
３２    筐体
３２ａ    上部筐体部
３２ｂ    下部筐体部
３３    トレイ
３４    光ピックアップモジュール
３５    レール
３６    レール案内部
３８    カバー
３８ａ    開口
３９    キャリッジ
４０    ベゼル
４１    イジェクトボタン
５０    光ピックアップ
１０１    第１の光源（レーザダイオード）
１０２    光学部材
１０３    第２の光源（ブルーレーザダイオード）
１０４    光学部材
１０５    ビームスプリッタ
１０６    光学部材（立ち上げミラー）
１０７    光学部材
１０８    対物レンズ
１０９    光ディスク
１１０    立ち上げミラー
１１１    色消し回折レンズ
１１２    対物レンズ
１１３，１１４    光検出器
【図１】
2007293940.tif 000005
【図２】
2007293940.tif 000006
【図３】
2007293940.tif 000007
【図４】
2007293940.tif 000008
【図５】
2007293940.tif 000009
【図６】
2007293940.tif 000010
【図７】
2007293940.tif 000011
【図８】
2007293940.tif 000012